(57)【要約】【課題】植栽基盤を軽量化する。【解決手段】第二網材１４０でシート材１３０と保水部材１２０とを間に挟んでパネル材１１０に取り付けることで、第二網材１４０とシート材１３０と保水部材１２０とパネル材１１０とが一体化された植栽基盤１００となる。また、シート材１３０と外側保水材１２６とで形成され第二網材１４０の網目１４４から突出する収容部１５０に植物５０が植栽される。収容部１５０に植栽された植物５０は、保水部材１２０の第一網材１２４に根５２を絡ませて生育する。【選択図】図１
2014128228.tif 000002
【特許請求の範囲】
【請求項１】
パネル材と、
前記パネル材の外側に設けられ、内側保水材と外側保水材との間に第一網材が挟まれた保水部材と、
前記保水部材の外側に設けられたシート材と、
前記パネル材に取り付けられ、前記パネル材との間に前記保水部材と前記シート材とを挟む第二網材と、
前記第二網材の網目から突出して、前記シート材と前記外側保水材とで形成され、植物が植栽される上部が開口した収容部と、
を備える植栽基盤。
【請求項２】
前記保水部材に自動的に潅水する潅水装置を備える、
請求項１に記載の植栽基盤。
【請求項３】
請求項１又は請求項２に記載の植栽基盤が壁面に設けられて前記壁面が緑化された壁面緑化構造。
【請求項４】
前記植栽基盤に設けられた基盤側引掛部材を、前記壁に設けられた壁側引掛部材に引っ掛ける引掛構造で、前記植栽基盤が前記壁面に取り付けられて前記壁面が緑化された請求項３に記載の壁面緑化構造。
【請求項５】
パネル材と、前記パネル材の外側に設けられる内側保水材と、前記内側保水材の外側に設けられる第一網材と、前記第一網材の外側に設けられる外側保水材と、前記外側保水材の外側に設けられるシート材と、を重ね、前記第二網材を前記シート材の外側から前記パネル材に取り付ける取付工程と、
前記シート材と前記外側保水材とに切れ目を入れ、前記第二網材の網目から突出するように、前記シート材及び前記外側保水材における前記切れ目の下側の部位を引き出し、植物が植栽される上部が開口した収容部を前記シート材と前記外側保水材とで形成する収容部形成工程と、
を備える植栽基盤の製作方法。
【請求項６】
前記取付工程の前に、前記内側保水材と前記第一網材と前記外側保水材と前記シート材とを重ねて一体化し生育基版を作成する生育基版作成工程を有し、
前記取付工程では、前記第二網材を前記パネル材に取り付け、前記パネル材との間に前記生育基版を挟む、
請求項５に記載の植栽基盤の製作方法。
【発明の詳細な説明】
【技術分野】
【０００１】
本発明は、植栽基盤、壁面緑化構造、及び植栽基盤の製作方法に関する。
【背景技術】
【０００２】
特許文献１には、根を受けるポケットが設けられた植栽パネルを備える植栽基盤を壁面に取り付けて、壁面を緑化する技術が開示されている（特許文献１を参照）。
【０００３】
しかし、このように植栽パネルのポケットで植物を支持する構成の場合、植栽パネルは高い剛性が必要であり、植栽基盤の重量が重くなる傾向にある。このため植栽基盤を取り付ける壁面（構造物）への負担が大きくなる。
【０００４】
したがって、従来の植栽基盤よりも軽量化することが望まれている。
【先行技術文献】
【特許文献】
【０００５】
【特許文献１】特開２００８−２９３２２号公報
【発明の概要】
【発明が解決しようとする課題】
【０００６】
本発明は、植栽基盤を軽量化することが課題である。
【課題を解決するための手段】
【０００７】
請求項１の発明は、パネル材と、前記パネル材の外側に設けられ、内側保水材と外側保水材との間に第一網材が挟まれた保水部材と、前記保水部材の外側に設けられたシート材と、前記パネル材に取り付けられ、前記パネル材との間に前記保水部材と前記シート材とを挟む第二網材と、前記第二網材の網目から突出して、前記シート材と前記外側保水材とで形成され、植物が植栽される上部が開口した収容部と、を備える。
【０００８】
請求項１に記載の発明では、第二網材でシート材と保水部材とを間に挟んでパネル材に取り付けることで、第二網材とシート材と保水部材とパネル材とが一体化される。また、シート材と外側保水材とで形成され第二網材の網目から突出する収容部に植物が植栽される。そして、収容部に植栽された植物は、保水部材の第一網材に根を絡ませて生育する。
【０００９】
収容部はシート材と外側保水材とで構成されているため軽量であり、第二網材の網目の枠によって支えられる。また、第一網材に根が絡んで生育することで、植物が第一網材に固定され落下が防止される。
【００１０】
よって、例えば、高剛性の植栽パネルのポケットに植物を植栽し、この植栽パネルのポケットで植物を支持する場合と比較し、植栽基盤を軽量化することできる。
【００１１】
請求項２の発明は、前記保水部材に自動的に潅水する潅水装置を備える。
【００１２】
請求項２に記載の発明では、潅水装置で自動的に潅水することで、別途、人が保水部材に水を補給する場合と比較し、植物の管理作業が簡略化される。
【００１３】
請求項３の発明は、請求項１又は請求項２に記載の植栽基盤が壁面に設けられて前記壁面が緑化されている。
【００１４】
請求項３に記載の発明では、植栽基盤は軽量であるので、大面積の壁面を緑化しても壁面への負担が小さい。よって、例えば、修学院離宮の大刈込みのように緑化された壁面を都会のビル街壁で容易に創出することができる。
【００１５】
請求項４の発明は、前記植栽基盤に設けられた基盤側引掛部材を、前記壁に設けられた壁側引掛部材に引っ掛ける引掛構造で、前記植栽基盤が前記壁面に取り付けられて前記壁面が緑化されている。
【００１６】
請求項４に記載の発明は、植栽基盤に設けられた基盤側引掛部材を、壁に設けられた壁側引掛部材に引っ掛けることで、植栽基盤が壁面に取り付けられて壁面が緑化されるので、施工が容易である。
【００１７】
請求項５の発明は、パネル材と、前記パネル材の外側に設けられる内側保水材と、前記内側保水材の外側に設けられる第一網材と、前記第一網材の外側に設けられる外側保水材と、前記外側保水材の外側に設けられるシート材と、を重ね、前記第二網材を前記シート材の外側から前記パネル材に取り付ける取付工程と、前記シート材と前記外側保水材とに切れ目を入れ、前記第二網材の網目から突出するように、前記シート材及び前記外側保水材における前記切れ目の下側の部位を引き出し、植物が植栽される上部が開口した収容部を前記シート材と前記外側保水材とで形成する収容部形成工程と、を備える。
【００１８】
請求項５に記載の発明では、シート材と外側保水材とに入れた切れ目の下側の部位を引き出すことで、容易に収容部を形成することができる。また、緑化する現場の風景や意匠性に合わせて、収容部の位置を自由に選定することができる。
【００１９】
請求項６の発明は、前記取付工程の前に、前記内側保水材と前記第一網材と前記外側保水材と前記シート材とを重ねて一体化し生育基版を作成する生育基版作成工程を有し、前記取付工程では、前記第二網材を前記パネル材に取り付け、前記パネル材との間に前記生育基版を挟む。
【００２０】
請求項６に記載の発明では、内側保水材と第一網材と外側保水材とシート材とを一体化して生育基版とすることで、容易に植栽基盤を製作することができる。
【発明の効果】
【００２１】
本発明によれば、植栽基盤を軽量化することができる。
【図面の簡単な説明】
【００２２】
【図１】本発明の実施形態に係る植栽基盤によって緑化された壁面緑化構造を示す面外方向に沿った縦断面図である。
【図２】本発明の実施形態に係る植栽基盤によって緑化された壁面緑化構造を示す斜視図である。
【図３】収容部に植物が植栽される前の植栽基盤を示す斜視図である。
【図４】収容部を形成する前の植栽基盤を示す（Ａ）は正面図であり、（Ｂ）は分解側面図である。
【図５】Ｃ形鋼を示す面外方向に沿った縦断面図である。
【図６】上下に並んで配置された植栽基盤同士の接続部を示す（Ａ）は縦断面図であり、（Ｂ）は接続前の状態を示す縦断面図である。
【図７】収容部を形成する前の植栽基盤を示す分解斜視図である。
【図８】内側保水材と第一網材と外側保水材とシート材とを重ね保水基版として一体化した状態の植栽基盤を示す分解斜視図である。
【図９】収容部を形成する工程を（Ａ）〜（Ｃ）へと順番に示す斜視図である。
【図１０】第二網材を固定する他の方法を示す（Ａ）は縦断面図であり、（Ｂ）は正面図である。
【図１１】潅水装置を示すブロック図である。
【図１２】植栽基盤の壁への取付構造の変形例としての引掛構造を示す図１に対応する面外方向に沿った縦断面図である。
【図１３】図１３に植栽基盤と壁との間に断熱材を入れた構造を示す縦断面図である。
【図１４】図１２に示す引掛構造の他の例を示す部分縦断面図である。
【図１５】図１２に示す引掛構造の部分拡大断面図である。
【発明を実施するための形態】
【００２３】
図１〜図１１を用いて、本発明の実施形態に係る植栽基盤及び壁面緑化構造について説明する。なお、植栽基盤１００における後述する壁面１０Ａ側を「背面側」又は「内側」とし、反対側を「正面側」又は「外側」として説明する。
【００２４】
＜実施形態＞
図１及び図２に示すように、植栽基盤１００が壁１０の壁面１０Ａに設けられ、壁面１０Ａが緑化されている。なお、図では植栽基盤１００は、一つのみが図示されているが、実際には複数の植栽基盤１００が壁面１０Ａに上下左右に並んで配置されることで、壁面１０Ａ全体が緑化されている。
【００２５】
図１〜図３、図４（Ｂ）、図７に示すように、植栽基盤１００は、パネル材１１０と保水部材１２０とシート材１３０と第二網材１４０とを有し、図２に示すように、上端部には、潅水装置２００（図１１参照）のホース２０２が設けられている。また、図１、図２、図３に示すように、植栽基盤１００の外側前面には、植物５０（図１及び図２参照）が植栽される上部が開口した収容部１５０が形成されている。
【００２６】
図１〜図３、図４（Ｂ）、図７に示すように、パネル材１１０は、壁面１０Ａ（図１〜図３参照）の外側に設けられ、耐熱樹脂等の断熱機能を有する材料で構成された正面視において略矩形状の板材である。なお、本実施形態では、株式会社エーアンドエーマテリアル製の内外装用フレキシブルボード・セルフレックス（ＪＵＳ  Ａ  ５４３０  ／  不燃  ＮＭ−９０２７(ＮＭ−８５７６））を使用している。
【００２７】
図１〜図３、図４（Ｂ）、図７に示すように、保水部材１２０は、パネル材１１０の外側に設けられ、内側保水材１２２と外側保水材１２６との間に第一網材１２４が挟まれた構造となっている。
【００２８】
内側保水材１２２及び外側保水材１２６は、植物５０の根５２（図１参照）が侵入可能で、保水及び吸水性の高い材料（フェルト、不織布、ウレタン、スポンジ、ヤシ繊維等）で構成されている。
【００２９】
第一網材１２４は、網目がハニカム形状の樹脂製のネットで構成されている。なお、本実施形態では、第一網材１２４は、ポリ塩化ビニリデン系合成繊維（塩化ビニリデンを主成分とする共重合物を原料として溶融紡糸したもの）を網状に成形したものを使用した。具体的には、旭化成ホームプロダクツ株式会社製のサラン繊維（登録商標）のハニカムネットを用いた。なお、第一網材１２４は、樹脂性のネット以外であってもよい。例えば、ＳＵＳ等からなる金網であってもよい。
【００３０】
シート材１３０は、保水部材１２０の外側に設けられ、ゴムやビニール等の水分蒸発防止機能を有する材料で構成されてしている。なお、本実施形態では、水分蒸発防止機能に加え、遮熱性や不燃性を有すると共に耐候性に優れた加硫ゴム系の防水シートを使用した。具体的には三ツ星ベルト株式会社製のネオ・ルーフィングＥを使用した。
【００３１】
第二網材１４０は、シート材１３０の外側に設けられ、ＳＵＳ製のφ５の５００×５００メッシュの金網で構成されている。なお、第二網材１４０は、ＳＵＳ製以外のメッキされた金属メッシュ、或いは耐候性樹脂のメッシュ素材で構成されていてもよい。また、第一網材１２４の網目よりも第二網材１４０の網目１４４の方が大きい。
【００３２】
また、図１、図４、図７に示すように、第二網材１４０の網目１４４の角部には、ＳＵＳ製の座金１４２が溶接接合されている。そして、パネル材１１０との間に保水部材１２０とシート材１３０とを挟んで、座金１４２とパネル材１１０の背面１１０Ａに形成された凹部１１２に嵌め込めまれたＳＵＳ製のＣ形鋼１８０とを、保水部材１２０及びシート材１３０を貫通する全ネジ３０及びナット３２で締結することとで（図５も参照）、第二網材１４０がパネル材１１０に取り付けられている。そして、保水部材１２０及びシート材１３０を挟んで、全ネジ３０及びナット３２で締結し第二網材１４０がパネル材１１０に取り付けられるこことで、植栽基盤１００として一体化される。
【００３３】
また、図１、図４（Ｂ）、図５に示すように、植栽基盤１００のパネル材１１０のＣ形鋼１８０と、壁１０に打ち込まれたアンカーボルト２０と、をナット２２で締結するとによって、植栽基盤１００が壁面１０Ａに固定されている。すなわち、第二網材１４０は、全ネジ３０及びＣ形鋼１８０を介して、壁１０に打ち込まれたアンカーボルト２０に締結された構造（第二網材１４０が壁１０に固定された構造）となっている。
【００３４】
なお、第二網材１４０のパネル材１１０への取り付け（固定）は、上記構成（方法）に限定されない。どのような構成（方法）であってもよい。
【００３５】
例えば、図１０に示すように、保水部材１２０及びシート材１３０を貫通するネジ３６の先端部のかぎ状に曲がった引掛部３８を、第二網材１４０に引掛ける構成であってもよい。
【００３６】
また、本実施形態では、Ｃ形鋼１８０は植栽基盤１００のパネル材１１０に嵌め込まれた構成であるが、これに限定されない。Ｃ形鋼１８０は壁面１０Ａに埋め込まれた構成であってもよいし、壁面１０Ａとパネル材１１０の背面１１０Ａとの間に配置された構成（壁面１０Ａとパネル材１１０の背面１１０Ａとが間隔をあけた構成）であってもよい。更に、Ｃ形鋼以外、例えばＬ形鋼であってもよい。
【００３７】
図１１に示すように、潅水装置２００は、外周面２０２Ａに複数の孔２０４が形成された筒状のホース２０２と、ポンプ２１０と、ホース２０２とポンプ２１０とを繋ぐチューブ２１２と、ポンプ２１０に電気的に接続されポンプ２１０を制御する制御部２１４と、を有している。
【００３８】
図２に示すように、潅水装置２００のホース２０２は、最上段に配置された植栽基盤１００の保水部材１２０における内側保水材１２２の上端部１２２Ｕと外側保水材１２６の上端部１２６Ｕとの間に挟まれている。
【００３９】
図１１に示す制御部２１４は、定期的に予め定めた量の水がホース２０２に供給されるように、ポンプ２１０を制御する。そして、図２に示すホース２０２に水が供給されると、孔２０４から水が吐出し、保水部材１２０の内側保水材１２２と外側保水材１２６とに浸透する。つまり、保水部材１２０に灌水される。また、本実施形態では、肥料入りの水を吐出（灌水）させている（液肥潅水）。
【００４０】
ホース２０２から吐出する灌水量は、夏季の快晴時に最下段に配置された植栽基盤１００の保水部材１２０の下部から余剰水が染み出すように設定する。なお、本実施形態では、保水部材１２０の内側保水材１２２と外側保水材１２６とが乾燥しないように、３．６リットル／時間を一回１５分程度行っている。また、これを１日当たり４〜５回程度実施している（このように制御部２１４がポンプ２１０を制御している）。
【００４１】
本実施系形態では、図６に示すように、植栽基盤１００のパネル材１１０は、保水部材１２０に対して上側にずれて設けられている。よって、植栽基盤１００の上部背面部ではパネル材１１０の上端部１１６が突出し、下部背面部の角部はパネル材１１０がなく段差部１１４が形成される。そして、上下に並んで配置された上側の植栽基盤１００の下部背面部の段差部１１４に、下側の植栽基盤１００のパネル材１１０の上部背面部の上端部１１６が係合している。また、この係合部分には、壁面１０Ａへの漏水を防止するための防水具１５８が設けられている。
【００４２】
防水具１５８は、係合部の形状に応じた凹部１５２を形成するＬ字状の片部１５４と背面板部１５６とを有する構造となっている。片部１５４は背面板部１５６から水平方向に延びる横壁部１５４Ａと、この横壁部１５４Ａの先端部から下方に延びる縦壁部１５４Ｂとを有している。そして、背面板部１５６が下側の植栽基盤１００のパネル材１１０と上側の植栽基盤１００のパネル材１１０とに跨って配置されている。また、背面板部１５６から延びる片部１５４の横壁部１５４Ａが、パネル材１１０の端部間の隙間１１５に挟まれている。そして、片部１５４の縦壁部１５４Ｂが下側の植栽基盤１００の内側保水材１２２と上側の植栽基盤１００の内側保水材１２２とに跨って配置されている。
【００４３】
図３に示すように、第二網材１４０の網目１４４から収容部１５０が突出している（図１及び図２も参照）。収容部１５０は、シート材１３０と外側保水材１２６とで形成されている（形成方法は後述する）。そして、図１及び図２に示すように、収容部１５０に植物５０が植栽されている。なお、本実施形態で植栽されている植物５０は、木本類とされている。また、図１に示すように、植物５０の根５２が伸長し、第一網材１２４に絡みつき生育する。また、根５２が第一網材１２４に絡みつくことで、植物５０が植栽基盤１００に固定される。
【００４４】
＜製造方法＞
つぎに、本実施形態の植栽基盤１００の製造方法について説明する。
【００４５】
図８に示すように、内側保水材１２２と第一網材１２４と外側保水材１２６とシート材１３０とを重ねて縫い合わせて一体化し、生育基版１３２を作成する。そして、パネル材１１０との間に生育基版１３２を挟んで、第二網材１４０をパネル材１１０に取り付ける（図１及び図２も参照）。
【００４６】
図９（Ａ）に示すように、シート材１３０と外側保水材１２６とに水平方向の切目５５を入れる。そして、図９（Ｂ）に示すように、第二網材１４０の網目１４４から突出するように、シート材１３０及び外側保水材１２６における切目５５の下側の部位１３０Ａ，１２６Ａを引き出し、図９（Ｃ）上部が開口した収容部１５０を形成する。
【００４７】
図１及び図２に示すように、このようにして作製された植栽基盤１００の収容部１５０に植物５０を植栽し、壁面１０Ａに並べて固定することで、壁面１０Ａが緑化される。
【００４８】
＜作用及び効果＞
つぎに、本実施形態の作用及び効果について説明する。
【００４９】
第二網材１４０を、シート材１３０と保水部材１２０とを間に挟んでパネル材１１０に取り付けることで、第二網材１４０とシート材１３０と保水部材１２０とパネル材１１０とが一体化された植栽基盤１００となる。また、シート材１３０と外側保水材１２６とで形成され第二網材１４０の網目１４４から突出する収容部１５０に植物５０が植栽されている。収容部１５０に植栽された植物５０は、保水部材１２０の第一網材１２４に根５２を絡ませて生育する（図１参照）。
【００５０】
このように、収容部１５０はシート材１３０と外側保水材１２６とで構成されているため軽量であり、第二網材１４０の網目１４４によって支えられる。そして、第一網材１２４に植物５０の根５２が絡んで生育することで、植物５０が第一網材１２４（植栽基盤１００）に固定され落下が防止される。つまり、収容部１５０が植物５０を支持するのではなく、第一網材１２４が植物５０を支持する構造となっている。よって、例えば、高剛性の植栽パネルのポケットに植物を植栽し、この植栽パネルのポケットで植物を支持する場合と比較し、植栽基盤１００を軽量化することできる。
【００５１】
そして、このように植栽基盤１００は軽量(本実施形態では湿潤時の平米荷重１５〜２０ｋｇ）であるので、大面積の壁面１０Ａを緑化しても壁面１０Ａへの負担が小さい。よって、例えば、修学院離宮の大刈込みのように緑化された壁面１０Ａを都会のビル街壁で容易に創出することができる。また、植栽基盤１００が軽量化されることで、折半屋根にコケ植物に代わる緑化工法としても利用可能である。また、ビル等の建築物と防音壁等の土木構造物とのいずれにも適用可能である。更に、鉛直面だけでなく、傾斜面も容易に緑化することができる。
【００５２】
また、シート材１３０は、水分蒸発防止機能、遮熱機能、及び不燃機能を有する。そして、シート材１３０の水分蒸発防止機能によって保水部材１２０からの水分の蒸発が抑制される。更に遮熱機能を有するシート材１３０と断熱効果を有するパネル材１１０とで、保水部材１２０を挟むことで、植物５０の根５２の環境（根圏環境）が熱的に保護される。よって、植物５０の生育環境が向上する。
【００５３】
なお、シート材１３０の不燃機能と保水部材１２０の保水とによって、火災時における延焼防止効果が発揮される。また、準防火地域や商業地域等では予め定められた外壁付帯物の不燃性の基準を満たすことが求められるが、上記延焼防止効果を有する植栽基盤１００で壁面を緑化することで、この基準を容易に満たすことができる。
【００５４】
また、潅水装置２００で自動的に潅水することで、別途、人が保水部材１２０に水を補給する場合と比較し、植物５０の管理作業が簡略化される。また、シート材１３０の水分蒸発防止機能によって潅水効率が向上する（節水効果が高い）。
【００５５】
なお、本実施形態では、図６に示すように、植栽基盤１００のパネル材１１０は、保水部材１２０に対して、上側にずれて設けられている。そして、上下に並んで配置された上側の植栽基盤１００の下部背面部の段差部１１４に、下側の植栽基盤１００のパネル材１１０の上部背面部の上端部１１６が係合している。また、この係合部分には、防水具１５８が設けられている。
【００５６】
よって、上側の植栽基盤１００の保水部材１２０の下端が上下のパネル材１１０の端部間の隙間１１５よりも下側に位置するので、上側の保水部材１２０の下端から染み出す水の、隙間１１５から壁面１０Ａへの染み出しが抑制される。
【００５７】
また、防水具１５８の背面板部１５６が、パネル材１１０と壁面１０Ａとの間に、下側のパネル材１１０と上側のパネル材１１０とに跨って、つまり隙間１１５を跨いで配置されている。更に、片部１５４の縦壁部１５４Ｂが下側の内側保水材１２２と上側の内側保水材１２２とに跨って配置されている。よって、上側の保水部材１２０の下端から染み出す水の、隙間１１５から壁面１０Ａへの染み出しが、効果的に抑制又は防止される。
【００５８】
また、図９に示すように、第二網材１４０とシート材１３０と保水部材１２０とパネル材１１０とを一体化したのち、シート材１３０と外側保水材１２６とに入れた切目５５の下側の部位１３０Ａ，１２６Ａを引き出すことで、容易に収容部１５０を形成することができる。
【００５９】
また、収容部１５０を形成する第二網材１４０の網目１４４を、例えば、緑化する現場の風景や意匠性に合わせて、自由に選定することができる。つまり、植物５０を植栽する植栽パターンを自由に設定できる。また、収容部１５０を形成していない部分には、看板を取り付けることも容易に可能であるので、美しい植栽景観と企業広告との組み合わせが容易に可能となる。また、植栽する植物５０は、木本類も草本類も自由に植栽可能であり、植栽の自由度が高い
【００６０】
＜変形例＞
つぎに、本実施形態の植栽基盤１００の壁１０への取付構造の変形例（他の例）について説明する。なお、本変形例では、植栽基盤１００に設けられた基盤側引掛部材を壁１０側に設けた壁側引掛部材に引っ掛ける引掛構造となっている。
【００６１】
図１２に示すように、本変形例では、ネジ３６（図１０参照）が保水部材１２０及びシート材１３０を貫通し、取付金具２５０にナット３２によって締結されている。なお、このように保水部材１２０及びシート材１３０を挟んで、第二網材１４０をネジ３６及び取付金具２５０で締結してパネル材１１０に取り付けることで、植栽基盤１００として一体化される。
【００６２】
図１５に示すように、取付金具２５０は板状とされ、パネル材１１０の背面１１０Ａに沿って設けられている。そして、取付金具２５０の上端部分には、下側方向に屈曲し折り返されたフック部２５２が形成されている。
【００６３】
一方、壁側引掛部材２６０は、第一Ｌ形鋼２６２と第二Ｌ形鋼２６４とを含んで構成されている。第一Ｌ形鋼２６２は、壁１０に打ち込まれたアンカーボルト２０とナット２２によって壁１０に固定されている。更に、第一Ｌ形鋼２６２の横フランジ部２６２Ａに第二Ｌ形鋼２６４の横フランジ部２６４Ａが重ね合わされてボルト２８０とナット２８２とによって締結されている。
【００６４】
そして、植栽基盤１００の取付金具２５０のフック部２５２が、第二Ｌ形鋼２６４の縦フランジ部２６４Ｂに引っ掛けられることで、植栽基盤１００が壁面１０Ａと間隔をあけて壁１０に取り付けられる。
【００６５】
なお、図１２に示すように、植栽基盤１００の上端部に対応する壁１０に固定された第一Ｌ形鋼２６２の横フランジ部２６２Ａには、平板状の板金２７０が重ね合わされてボルト２８０とナット２８２とによって締結されている。そして、板金２７０の先端部が、植栽基盤１００のパネル材１１０の上端部１１０Ｂに接し、パネル材１１０の上端部１１０Ｂを押さえている。また、先端部には下側に突出する突起部２７０Ａが形成されている。そして、この突起部２７０Ａがパネル材１１０の上端部１１０Ｂに引掛けられている。
【００６６】
（作用効果）
つぎに本変形例の作用及び効果について説明する。
【００６７】
植栽基盤１００の取付金具２５０のフック部２５２を、壁１０に固定された壁側引掛部材２６０の第二Ｌ形鋼２６４の縦フランジ部２６４Ｂに引っかけることで、植栽基盤１００が壁面１０Ａと間隔をあけて壁１０に取り付けられる。よって、植栽基盤１００の壁１０の壁面１０Ａへの取り付けが容易である（施工性が向上する）。
【００６８】
なお、本変形例で示した引掛構造は、一例であって本構造に限定されない。例えば、図１４に示すような、Ｈ形鋼構造であってもよい。図１４に示すＨ形鋼構造は、Ｈ形鋼２９２の壁１０側の上側のフランジ部２９２Ａをアンカーボルト２０とナット２２とよって壁１０に固定し、植栽基盤１００側の上側のフランジ部２９２Ｃに取付金具２５０のフック部２５２を引っかけることで、植栽基盤１００が壁面１０Ａと間隔をあけて壁１０に取り付けられている。なお、Ｈ形鋼２９２におけるアンカーボルト２０の引抜方向に発生する回転力は、壁１０側の下側のフランジ部２９２Ｂの壁面１０Ａに対する支圧力で負担する構成となっている。要は、植栽基盤に設けられた基盤側引掛部材を、壁に設けられた壁側引掛部材に引っ掛ける引掛構造で、植栽基盤が壁に取り付けられて壁面が緑化されていればよい。
【００６９】
また、図１２や図１４に示すように、植栽基盤１００を壁１０に間隔をあけて取り付けることで、壁１０（壁面１０Ａ）の仕上精度、納まり地震時の制動等の影響が少なくなる。また、壁面１０Ａに植栽基盤１００が接触していないので、直接接触することによる各種デメリット（湿気の籠もりやこれにともなう経年変化等）が抑制される。
【００７０】
また、植栽基盤１００と壁面１０Ａとを間の隙間の空気層が、断熱効果を発揮する。なお、断熱効果をより効果的に発揮させるために、図１３に示すように、植栽基盤１００と壁面１０Ａとを間に。断熱材３００を間に挟んでもよい。断熱材３００としては、スタイロフォーム等の断熱板材、外断熱用の吹付材、グラスウール等のガラス繊維系の断熱材等があげられる。
【００７１】
なお、植栽基盤１００と壁面１０Ａとの間に断熱材３００を設ける場合は、引掛構造の引掛代となる空間３０２を設けることが望ましい。また、断熱材３００が軽量であり、容易に変形する材料の場合、植栽基盤１００と壁面１０Ａとの間に断熱材３００を挟み込むようにして設置すればよい。断熱材３００が高い剛性を有するような材料の場合は、植栽基盤１００又は壁面１０Ａに固定してもよい。
【００７２】
なお、板金２７０の先端部が、植栽基盤１００のパネル材１１０の上端部１１０Ｂに接し、パネル材１１０の上端部１１０Ｂを押さえている。よって、植栽基盤１００の上部を額縁的に収めていると共に、植栽基盤１００の面剛性を確保している。また、板金２７０の突起部２７０Ａがパネル材１１０の上端部１１０Ｂに引掛けられることで、植栽基盤１００の上端部が固定される。
【００７３】
＜その他＞
尚、本発明は上記実施形態に限定されない。
【００７４】
例えば、上記実施形態では、植栽基盤１００のパネル材１１０を壁１０（外壁）の壁面１０Ａに固定した。しかし、植栽基盤１００のパネル材１１０が壁（外壁）を構成してもよい。また、パネル材１１０は、複数の板材を積層することよって構成されていてもよい。
【００７５】
また、例えば、上記実施形態では、第二網材１４０の網目１４４の形状は、正面視において、略正方形であったが、これに限定されない。例えば、網目の形状が、正面視において、長方形、菱形、三角形、六角形（ハニカム形状）等であってもよい。
【００７６】
更に、本発明の要旨を逸脱しない範囲において、種々なる態様で実施し得ることは言うまでもない
【符号の説明】
【００７７】
１０      壁
１０Ａ    壁面
５０      植物
５２      根
１００      植栽基盤
１１０      パネル材
１２０      保水部材
１２２      内側保水材
１２４      第一網材
１２６      外側保水材
１３０      シート材
１３２      生育基版
１４０      第二網材
１４４      網目
１５０      収容部
２００      潅水装置
２５０      取付金具（基盤側引掛部材の一例）
２６０      壁側引掛部材
【図２】
2014128228.tif 000003
【図３】
2014128228.tif 000004
【図４】
2014128228.tif 000005
【図５】
2014128228.tif 000006
【図６】
2014128228.tif 000007
【図８】
2014128228.tif 000008
【図９】
2014128228.tif 000009
【図１０】
2014128228.tif 000010
【図１１】
2014128228.tif 000011
【図１２】
2014128228.tif 000012
【図１４】
2014128228.tif 000013
【図１５】
2014128228.tif 000014
【図１】
2014128228.tif 000015
【図７】
2014128228.tif 000016
【図１３】
2014128228.tif 000017